(57)【要約】【課題】端末装置から設定情報を受信した場合におけるユーザの利便性を向上させることを目的とする。【解決手段】外部装置から送信された、画像の送信に係る設定情報を受信する受信手段と、設定情報に対応する設定を行うか否かをユーザに確認する第１の確認画面を表示手段に表示するよう制御する表示処理手段と、第１の確認画面に対するユーザからの入力に応じて、設定情報に基づく画像の送信に関する設定を制御する設定手段とを有する。【選択図】図２
2018046399.tif 000002
【特許請求の範囲】
【請求項１】
外部装置から送信された、画像の送信に係る設定情報を受信する受信手段と、
前記設定情報に対応する設定を行うか否かをユーザに確認する第１の確認画面を表示手段に表示するよう制御する表示処理手段と、
前記第１の確認画面に対するユーザからの入力に応じて、前記設定情報に基づく前記画像の送信に関する設定を制御する設定手段と
を有することを特徴とする画像送信装置。
【請求項２】
前記設定情報は、宛先を示す情報を含むことを特徴とする請求項１に記載の画像送信装置。
【請求項３】
前記第１の確認画面は、前記設定情報に応じた設定を行う旨の指示を入力するための選択画像と前記設定情報に応じて設定を行わない旨の指示を入力するための選択画像とを含むことを特徴とする請求項１又は２に記載の画像送信装置。
【請求項４】
前記設定手段は、前記設定情報に応じた設定を行う旨の指示を受け付けた場合に、前記設定情報に基づいて、前記画像の送信に関する設定を行うことを特徴とする請求項１乃至３の何れか１項に記載の画像送信装置。
【請求項５】
前記設定手段による設定が完了した場合に、設定が完了した旨の応答を前記外部装置へ送信する送信手段をさらに有することを特徴とする請求項４に記載の画像送信装置。
【請求項６】
前記設定手段は、前記設定情報に応じた設定を行わない旨の指示を受け付けた場合に、前記設定情報に基づく、前記画像の送信に関する設定を行わないよう制御することを特徴とする請求項１乃至５の何れか１項に記載の画像送信装置。
【請求項７】
前記設定情報に応じた設定を行わない旨の指示を受け付けた場合に、設定が拒否された旨の応答を前記外部装置へ送信する送信手段をさらに有することを特徴とする請求項１乃至６の何れか１項に記載の画像送信装置。
【請求項８】
前記設定手段は、前記設定情報に応じた設定を行わない旨の指示を受け付けた場合に、前記指示を受け付けた後、予め定められた条件を満たす状態になるまでの間、前記設定情報と異なる他の設定情報の設定を許可しないよう制御することを特徴とする請求項１乃至７の何れか１項に記載の画像送信装置。
【請求項９】
前記設定手段は、前記設定情報の受信時に表示手段に表示されている表示画面に応じて、前記設定情報に基づく設定を制御することを特徴とする請求項１乃至８の何れか１項に記載の画像送信装置。
【請求項１０】
前記設定手段は、前記設定情報の受信時に特定の画面が表示されている場合には、前記設定情報に基づく設定を許可することを特徴とする請求項９に記載の画像送信装置。
【請求項１１】
前記設定手段は、前記設定情報の受信時に前記特定の画面が表示されていない場合には、前記設定情報に基づく設定を許可しないことを特徴とする請求項９又は１０に記載の画像送信装置。
【請求項１２】
前記表示処理手段は、前記受信手段が第１の設定情報に応じて設定を行う旨の指示を受け付けた後、前記受信手段が第２の設定情報を受信した場合には、前記第２の設定情報に対応する設定を行うことをユーザに確認する第２の確認画面を表示するよう制御し、
前記設定手段は、前記第１の設定情報及び前記第２の設定情報に基づく設定を行うよう制御することを特徴とする請求項１乃至１１の何れか１項に記載の画像送信装置。
【請求項１３】
前記第２の確認画面は、前記設定情報に応じた設定を行う旨の指示を入力するための選択画像を含み、かつ前記設定情報に応じて設定を行わない旨の指示を入力するための選択画像を含まないことを特徴とする請求項１２に記載の画像送信装置。
【請求項１４】
前記設定情報を受け付けた場合に、前記第１の確認画面を表示するか否かの指示を受け付ける受付手段をさらに有し、
前記表示処理手段は、前記第１の確認画面を表示する旨の指示を受け付けた場合に、前記第１の確認画面を表示するよう制御することを特徴とする請求項１乃至１０の何れか１項に記載の画像送信装置。
【請求項１５】
前記設定手段は、前記第１の確認画面を表示する旨の指示を受け付けていない場合には、前記設定情報に基づく設定を行うよう制御することを特徴とする請求項１３に記載の画像送信装置。
【請求項１６】
画像送信装置が実行する制御方法であって、
外部装置から送信された、画像の送信に係る設定情報を受信する受信ステップと、
前記設定情報に対応する設定を行うか否かをユーザに確認する第１の確認画面を表示手段に表示するよう制御する表示処理ステップと、
前記第１の確認画面に対するユーザからの入力に応じて、前記設定情報に基づく前記画像の送信に関する設定を制御する設定ステップと
を含むことを特徴とする制御方法。
【請求項１７】
コンピュータを、
外部装置から送信された、画像の送信に係る設定情報を受信する受信手段と、
前記設定情報に対応する設定を行うか否かをユーザに確認する第１の確認画面を表示手段に表示するよう制御する表示処理手段と、
前記第１の確認画面に対するユーザからの入力に応じて、前記設定情報に基づく前記画像の送信に関する設定を制御する設定手段と
して機能させるためのプログラム。
【発明の詳細な説明】
【技術分野】
【０００１】
本発明は、端末装置から送信された設定情報に基づいて画像データの送信に関する設定を行う画像送信装置、制御方法及びプログラムに関する。
【背景技術】
【０００２】
従来、スキャン機能やプリント機能、コピー機能、画像データの送信機能等複数の機能を備えた画像処理装置がある。これらの画像処理装置を用いて画像データを送信する場合、画像処理装置のアドレス帳に登録されている宛先を選択したり、操作パネルで宛先を直接入力したりすることで、送信先の宛先を指定できる。また、携帯端末内のデータを業務にも活用したいというニーズが増えており、画像処理装置と携帯端末を連携させる機能が登場している（特許文献１参照）。
【先行技術文献】
【特許文献】
【０００３】
【特許文献１】特開２０１６−２１６１４号公報
【発明の概要】
【発明が解決しようとする課題】
【０００４】
しかしながら、画像処理装置は、複数のユーザで共有して使用するケースが多い。例えば、ユーザが画像処理装置本体の操作部を操作して宛先を設定している最中に、操作部を操作しているユーザとは異なる別のユーザが携帯端末から宛先情報を送信するケースが考えられる。この場合、携帯端末のユーザが宛先情報を送信すると、画像処理装置を使用中のユーザとは無関係な宛先情報が表示され、画像処理装置のユーザの操作を妨害することになる。
【０００５】
本発明はこのような問題点に鑑みなされたもので、端末装置から設定情報を受信した場合におけるユーザの利便性を向上させることを目的する。
【課題を解決するための手段】
【０００６】
そこで、本発明は、画像送信装置であって、外部装置から送信された、画像の送信に係る設定情報を受信する受信手段と、前記設定情報に対応する設定を行うか否かをユーザに確認する第１の確認画面を表示手段に表示するよう制御する表示処理手段と、前記第１の確認画面に対するユーザからの入力に応じて、前記設定情報に基づく前記画像の送信に関する設定を制御する設定手段とを有することを特徴とする。
【発明の効果】
【０００７】
本発明によれば、端末装置から設定情報を受信した場合におけるユーザの利便性を向上させることができる。
【図面の簡単な説明】
【０００８】
【図１】画像処理ステムの全体図である。
【図２】ＭＦＰの構成を示す図である。
【図３】操作部を示す外観図である。
【図４】タッチパネルの画面遷移図である。
【図５】受付可能画面の一例を示す図である。
【図６】ＭＦＰが実行する処理を示すフローチャートである。
【図７】セッション判定処理を示すフローチャートである。
【図８】設定要求の判定処理を示すフローチャートである。
【図９】ＭＦＰと携帯端末装置の処理を示すシーケンス図である。
【図１０】第２の実施形態に係るタッチパネルの画面遷移図である。
【図１１】第２の実施形態に係る処理を示すフローチャートである。
【図１２】第３の実施形態に係るタッチパネルの画面遷移図である。
【図１３】第３の実施形態に係る処理を示すフローチャートである。
【発明を実施するための形態】
【０００９】
以下、本発明の実施形態について図面に基づいて説明する。
【００１０】
（第１の実施形態）
図１は、第１の実施形態に係る画像処理システム１００の全体図である。ネットワーク１０７上に、ＭＦＰ（Ｍｕｌｔｉｆｕｎｃｔｉｏｎ  Ｐｅｒｉｐｈｅｒａｌ）１０１と、メールサーバ装置１０３、アクセスポイント１０４がお互いに通信可能に接続されている。さらに、携帯端末装置１０２は、アクセスポイント１０４と無線通信１０５で接続し、ネットワーク１０７を経由してメールサーバ装置１０３、ＭＦＰ１０１とお互いに通信可能に接続されている。なお、ＭＦＰ１０１は、無線機能も備え、直接、無線１０６で携帯端末装置１０２やアクセスポイント１０４と接続することもできる。ＭＦＰ１０１は、スキャンした原稿の画像データを電子メールの添付ファイルとして送信する為、送信先のメールアドレスを送信宛先に指定して、メールサーバ装置１０３に電子メールを送信する。ＭＦＰ１０１は、画像送信装置の一例である。メールサーバ装置１０３は、受信した電子メールをストレージ（不図示）に設けたメールボックスに格納したり、さらに外のメールサーバに転送したりする。ユーザは後述するＭＦＰ１０１の操作部１１６を操作して、ＭＦＰ１０１が画像データを送信するために必要な設定情報（例えば、送信宛先、電子メールの件名、電子メールの本文、送信する画像データのファイル名の少なくともいずれかを含む）を入力する。また、ユーザはＭＦＰ１０１の外部装置である携帯端末装置１０２を操作してこれら設定情報を入力することもできる。携帯端末装置１０２は設定情報をＭＦＰ１０１へ送信する。ＭＦＰ１０１は携帯端末１０２から送信された設定情報を受信して画像データの送信のための設定として用いる。
【００１１】
図２は、ＭＦＰ１０１の構成を示す図である。ＣＰＵ１１１を含む制御部１１０は、ＭＦＰ１０１全体の動作を制御する。ＣＰＵ１１１は、ＲＯＭ１１２又はストレージ１１４に記憶された制御プログラムを読み出して、読取制御や印刷制御等の各種制御を行う。ＲＯＭ１１２は、ＣＰＵ１１１が実行可能な制御プログラムを格納する。また、ＲＯＭ１１２は、ブートプログラムやフォントデータ等も格納する。ＲＡＭ１１３は、ＣＰＵ１１１のメインメモリであり、ワークエリア、ＲＯＭ１１２及びストレージ１１４に格納された各種制御プログラムを展開するための一時記憶領域として用いられる。ストレージ１１４は、画像データ、印刷データ、各種プログラム、及び各種設定情報を記憶する。本実施形態ではストレージ１１４としてフラッシュメモリを想定しているが、補助記憶装置を用いるようにしてもよい。補助記憶装置としては、ＳＳＤ（Ｓｏｌｉｄ  Ｓｔａｔｅ  Ｄｒｉｖｅ）やＨＤＤ（Ｈａｒｄ  Ｄｉｓｋ  Ｄｒｉｖｅ）、ｅＭＭＣ（ｅｍｂｅｄｄｅｄ  Ｍｕｌｔｉ  Ｍｅｄｉａ  Ｃａｒｄ）等が挙げられる。後述するＭＦＰ１０１の機能や処理は、ＣＰＵ１１１がＲＯＭ１１２又はストレージ１１４に格納されているプログラムを読み出し、このプログラムを実行することにより実現されるものである。
【００１２】
なお、本実施形態のＭＦＰ１０１は、１つのＣＰＵ１１１が１つのメモリ（ＲＡＭ１１３）を用いて後述するフローチャートに示す各処理を実行するものとするが、他の様態であっても構わない。例えば、ＭＦＰ１０１は、ＣＰＵ、ＲＡＭ、ＲＯＭ、及びストレージを複数有し、これらを協働させて後述するフローチャートに示す各処理を実行することもできる。また、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ−Ｐｒｏｇｒａｍｍａｂｌｅ  Ｇａｔｅ  Ａｒｒａｙ）等のハードウェア回路を用いて一部の処理を実行するようにしてもよい。
【００１３】
操作部Ｉ／Ｆ１１５は、操作部１１６と制御部１１０を接続する。操作部１１６は、ユーザに対して情報を表示したり、ユーザからの入力を検出したりする。読取部Ｉ／Ｆ１１７は、読取部１１８と制御部１１０を接続する。読取部１１８は、原稿上の画像を読み取って、その画像をバイナリーデータ等の画像データに変換する。読取部１１８によって生成された画像データは、外部装置に送信されたり、記録紙上に印刷されたりする。
【００１４】
印刷部Ｉ／Ｆ１１９は、印刷部１２０と制御部１１０を接続する。ＣＰＵ１１１は、ＲＡＭ１１３に記憶された画像データ（印刷対象の画像データ）を印刷部Ｉ／Ｆ１１９を介して印刷部１２０に転送する。印刷部１２０は、転送された画像データを給紙カセットから給送された記録紙上に印刷する。
【００１５】
通信部Ｉ／Ｆ１２３は、制御部１１０とネットワーク１０７を接続する。通信部Ｉ／Ｆ１２３は、ネットワーク１０７上の外部装置に画像データや装置内部の各種情報を送信したり、ネットワーク１０７上の情報処理装置から印刷データや各種情報を受信したりする。ネットワークを介した送受信の方法としては、前述した電子メールを用いての送受信や、その他のプロトコル（例えば、ＦＴＰやＳＭＢ、ＷＥＢＤＡＶ等）を用いたファイル送信を行うことができる。無線通信部Ｉ／Ｆ１２１は、無線通信部１２２を制御する為のＩ／Ｆで制御部１１０と無線１０６経由で外部の無線機器（ここでは携帯端末装置１０２）と接続する。
【００１６】
図３は、操作部１１６を示す外観図である。操作部１１６は、操作画面を表示するタッチパネル３０１と、ＬＥＤ３１０、３１１を有している。タッチパネル３０１は、ユーザからの指示（タッチ、ドラッグ、フリック等）を受け付ける受付手段としても機能する。ユーザは、タッチパネル３０１上に表示される画面の各画像（タッチ画像）を指やスタイラス等のオブジェクトで直接タッチし、表示された画像に基づく各機能の実行を指示する。ここでタッチ画像とは、画像を表示した区切られた領域をタッチする事で、表示エリアに関連付けられたコントローラ制御を実行する為の画像である。
【００１７】
図３に示すタッチパネル３０１には、ホーム画面が表示され、ホーム画面を示すタイトル３０２が表示されている。ホーム画面は、コピー、ファクシミリ送信（ファクス）、スキャン、モバイルポータル、メニュー、アドレス帳等ＭＦＰ１０１が実行する各機能を選択するための画面である。
【００１８】
スキャンボタン３０３は、ＭＦＰ１０１からスキャン選択画面（不図示）を表示する為のタッチ画像である。スキャン選択画面は、電子メール送信、ＳＭＢ、ＦＴＰによるファイル送信、インターネットファクス（Ｉファクス）送信等の送信手段の選択表示を行う。さらに、表示された選択表示にタッチする事で各送信設定画面を表示する。モバイルポータルボタン３０４は、ＭＦＰ１０１と携帯端末装置１０２とを接続するための各種設定情報をユーザに示したモバイルポータル画面を表示する為のタッチ画像である。モバイルポータル画面は、ＭＦＰ１０１と携帯端末装置１０２とが直接接続するダイレクト接続や、ＬＡＮ経由で接続するＬＡＮ接続の為の各種設定情報（ＳＳＩＤ／ＰＩＮコード等）を表示する。
【００１９】
ストップ３０６は、各種操作のキャンセルを実行するためのタッチ画像で、操作部１１６に常時表示される常駐ボタンである。ホームボタン３０７は、ホーム画面を表示するためのタッチ画像で、操作部１１６に常時表示される常駐ボタンである。ＥｎｅｒｇｙＳａｖｅｒ（ＥＳ）３０８は、スリープに遷移する為のタッチ画像で、操作部１１６に常時表示される常駐ボタンである。
【００２０】
ＬＥＤ３１０、３１１は、ＭＦＰ１０１の状態をユーザに通知するものである。ＬＥＤ３１０は、電子メールや印刷ジョブの受信中や実行中に点灯し、ＬＥＤ３１１は、ＭＦＰ１０１に何らかのエラーが発生した際に点灯する。
【００２１】
図４は、携帯端末装置１０２から設定情報として電子メールの送信宛先のデータを受信した際の、タッチパネル３０１の画面遷移図である。４０１は、ホーム画面を示している。ホーム画面４０１は、後で述べる携帯端末装置１０２からの設定情報を受信することが可能な画面である。ここで、設定情報は、画像やメールの送信設定に関する情報である。
【００２２】
ＣＰＵ１１１は、ホーム画面４０１にて、携帯端末装置１０２から設定情報を受信し、設定情報の内容が正しいと判定すると、ポップアップ画面４０２を表示するよう制御する（表示処理）。ここで、ポップアップ画面４０２は、ホーム画面４０１に上書きした画面で、ポップアップ画面により上書きされた画面に対する操作はガードされる。ポップアップ画面４０２の表示時は、ＣＰＵ１１１は、ユーザによるホーム画面４０１の状況確認や各種機能への操作を禁止する。ポップアップ画面４０２は、携帯端末装置１０２より無線１０６又はネットワーク１０７経由で電子メール宛先や送信設定等の設定情報を受信したことをユーザに知らせるための表示画面である。ポップアップ画面４０２はまた、設定情報に対応する設定を行うか否かをユーザに確認するための確認画面でもある。
【００２３】
ポップアップ画面４０２には、ポップアップ画面４０２を閉じるためのボタンとして、ＯＫボタン４０３とキャンセルボタン４０４が表示されている。ＯＫボタン４０３が押下されると、ＣＰＵ１１１は、受信した設定情報に応じて設定を行う旨のＯＫ指示を受け付ける。そして、ＣＰＵ１１１は、ＯＫ指示に従い、表示を電子メール送信画面４０５に遷移させ、受信した設定情報に基づいて、画像等の送信に関する設定を行うよう制御する。キャンセルボタン４０４が押下されると、ＣＰＵ１１１は、受信した設定情報に応じた設定を行わない旨のキャンセル指示を受け付ける。そして、ＣＰＵ１１１は、キャンセル指示に従い、受信した設定情報を破棄し、表示をホーム画面４０１に戻す。すなわち、ＣＰＵ１１１は、キャンセル指示を受け付けた場合には、受信した設定情報に応じた設定を行わないよう制御する。なお、ＯＫボタン４０３及びキャンセルボタン４０４は、それぞれ、設定情報に応じた設定を行う旨の指示を入力するための選択画像及び設定情報に応じて設定を行わない旨の指示を入力するための選択画像の一例である。なお、キャンセルボタン４０４が押下された場合、キャンセルされた旨を携帯端末装置１０２へ送信してもよい。
【００２４】
なお、ポップアップ画面４０２には、携帯端末装置１０２より受信した設定情報の内容（電子メールアドレス、ファイル名、本文、件名等）を表示してもよい。また、ポップアップ画面４０２に設定情報の詳細を確認する為の確認ボタンを表示してもよい。この場合、ＣＰＵ１１１は、確認ボタンが押下された場合には、携帯端末装置１０２より受信した設定情報の内容を詳細表示画面にて表示する。設定情報の内容は、電子メールの宛先である電子メールアドレス、電子メールの件名、本文、添付される画像ファイルのファイル名等、電子メール送信時に指定される各種設定である。電子メールアドレスは、携帯端末装置１０２上のアプリケーションにより、携帯端末装置１０２のアドレス帳または直接入力で設定される。
【００２５】
電子メール送信画面４０５は、電子メールを送信する為の設定画面である。図４においては、メールの宛先を１件受信した例として宛先確認４０６の宛先件数に１が表示されている。複数の宛先を受信した場合、宛先確認４０６の件数には、受信した宛先数が表示される。宛先確認が押下されると、ＣＰＵ１１１は、宛先確認画面４０７を表示する。なお、電子メール送信画面４０５にて、リセットボタン４０９が押下された場合には、ＣＰＵ１１１は、設定された情報をクリアする。このとき、ＣＰＵ１１１は、受信した設定情報をクリアし、送信元の携帯端末装置１０２との通信もリセットする。また、電子メール送信画面４０５にて、白黒スタートボタン４１０又はカラースタートボタン４１１が押下されたとする。この場合には、ＣＰＵ１１１は、読取部１１８に原稿をスキャンさせて画像データを生成させ、生成された画像データを電子メールに添付し、電子メールを送信する。この場合も、ＣＰＵ１１１は、受信した設定情報をクリアし、送信元の携帯端末装置１０２との通信もリセットする。
【００２６】
ここで、ＭＦＰ１０１と携帯端末装置１０２との通信のリセット方法について説明する。ＭＦＰ１０１は、携帯端末装置１０２との通信をＨＴＴＰプロトコルで行い、ＨＴＴＰプロトコルのセッションＩＤで接続状態を管理する。セッションＩＤは、ＨＴＴＰの通信プロトコルにて端末側に送信されるＩＤであり、携帯端末装置１０２を識別するユニークなＩＤである。ＭＦＰ１０１は、セッションを確立した携帯端末装置１０２に対してセッションＩＤを生成して送信し、さらにセッションＩＤをＲＡＭ１１３に保存する。携帯端末装置１０２は、接続要求時に受信したセッションＩＤを用いてＭＦＰ１０１に接続する。本実施形態のＭＦＰ１０１は、ＨＴＴＰプロトコルにより確立する携帯端末とのセッションの数を１つに制限している。ＭＦＰ１０１は、ＲＡＭ１１３に保存されているセッションＩＤと、セッションを確立した携帯端末装置１０２のセッションＩＤとが同一である場合に、携帯端末装置１０２がセッション確立中の携帯端末装置１０２であると判断する。一方、ＭＦＰ１０１は、セッションＩＤが異なる場合には、携帯端末装置１０２がセッション確立中の携帯端末装置１０２ではないと判断し、確立中のセッションＩＤとは異なるセッションの確立を拒否する。
【００２７】
ＭＦＰ１０１による携帯端末装置１０２との通信のリセットとは、ＲＡＭ１１３に保存されているセッションＩＤを消去し、いずれの携帯端末装置１０２とも通信中でない状態に遷移することである。ＭＦＰ１０１は、この状態に遷移すると、新規の接続要求を受付可能になる。
【００２８】
図５は、携帯端末装置１０２からの設定情報の受信を受け付ける受付可能画面の一例を示す図である。本実施形態に係るＭＦＰ１０１においては、図５（ａ）に示すホーム画面５０１と、図５（ｂ）に示す電子メール送信画面５０２と、図５（ｃ）に示すモバイルポータル画面５０３とが、受付可能画面として予め設定されている。ＭＦＰ１０１は、操作部１１６が受付可能画面を表示しているとき携帯端末１０２からの接続要求を受信した場合には、接続を許可し、携帯端末１０２から送信される設定情報を受け付ける。一方、ＭＦＰ１０１は、操作部１１６が受信可能画面以外の画面を表示している場合には、携帯端末１０２からの接続要求を拒否する。このため、ＭＦＰ１０１を操作中のユーザにとって、受付可能画面以外の画面表示時には、ポップアップ画面４０２による操作の中断は生じない。ここで、受付可能画面は、ＭＦＰ１０１に予め設定された特定の画面の一例である。
【００２９】
ホーム画面５０１は、ＭＦＰ１０１のデフォルト待機画面である。電子メール送信画面５０２は電子メール送信を行うときに表示される画面である。ＭＦＰ１０１が携帯端末装置１０２から設定情報を受信すると、まずポップアップ画面４０２を表示し、その後ＯＫボタン４０３が押下されると受信した設定情報が設定された状態の電子メール送信画面５０２が表示される。なお、設定情報の受信時、ＭＦＰ１０１は、電子メールアドレスを受信した場合、電子メール送信宛先を追加で設定し、件名、本文、ファイル名等の設定情報を受信した場合、上書きで設定する。
【００３０】
モバイルポータル画面５０３は、携帯端末装置１０２とＭＦＰ１０１との無線通信を確立するための設定画面である。ユーザは、モバイルポータル画面５０３に表示されているＳＳＩＤ、ネットワークキーを携帯端末装置１０２側に設定し、開始ボタン５０４を押下することで、ダイレクト接続による無線通信が開始される。ＱＲコード（登録商標）ボタン５０５が押下された場合、ＭＦＰ１０１は、無線接続設定をＱＲコードで表示する。携帯端末装置１０２はＱＲコードを撮影することで無線通信の開始を実行可能にする。無線通信の確立後、電子メールアドレスや電子メールの件名、本文等の設定情報の送信操作が携帯端末装置１０２で行われる。その後、ＭＦＰ１０１は、図４に示したポップアップ画面４０２を表示し、ＯＫボタン４０３の押下後、受信した設定情報を電子メール送信画面５０２に反映する。
【００３１】
図６は、ＭＦＰ１０１が実行する処理を示すフローチャートである。図６のフローチャートが示す処理は、ＣＰＵ１１１がＲＯＭ１１２またはストレージ１１４に記憶された制御プログラムをＲＡＭ１１３に読み出して実行する。ＣＰＵ１１１は、通信部Ｉ／Ｆ１２３または、無線通信部Ｉ／Ｆ１２１からのデータ受信をネットワークパケットの受信部で監視している。Ｓ６０１において、ＣＰＵ１１１は、ネットワーク１０７又は無線１０６を介して携帯端末装置１０２から送信されたデータを受信する。次に、Ｓ６０２において、ＣＰＵ１１１は、受信データが設定要求であるか否かを判定する。なお、設定要求は、設定情報を含むものとする。ＣＰＵ１１１は、設定要求である場合には（Ｓ６０２でＹＥＳ）、処理をＳ６０８へ進める。ＣＰＵ１１１は、設定要求でない場合には（Ｓ６０２でＮＯ）、処理をＳ６０３へ進める。
【００３２】
Ｓ６０３において、ＣＰＵ１１１は、受信データが能力要求であるか否かを判定する。ＣＰＵ１１１は、能力要求である場合（Ｓ６０３でＹＥＳ）、処理をＳ６０５へ進める。ＣＰＵ１１１は、能力要求ではない場合（Ｓ６０３でＮＯ）、処理をＳ６０４へ進める。Ｓ６０４において、ＣＰＵ１１１は、受信データが接続要求であるか否かを判定する。ＣＰＵ１１１は、接続要求である場合（Ｓ６０４でＹＥＳ）、処理をＳ６０６へ進める。ＣＰＵ１１１は、接続要求ではない場合（Ｓ６０４でＮＯ）、処理をＳ６０７へ進める。
【００３３】
Ｓ６０５において、ＣＰＵ１１１は、能力応答を携帯端末装置１０２に送信し、その後処理をＳ６０１へ進める。能力応答は、ＭＦＰ１０１が受信可能な設定情報の内容を示すデータである。本実施形態に係るＭＦＰ１０１が受信可能な設定情報は、電子メール送信画面に設定されるデータである。設定情報は、送信宛先として電子メールアドレス、電子メールアドレスのＴｏ／Ｃｃ／Ｂｃｃ指定、送信ファイルのファイル名、電子メールの件名、電子メールの本文テキスト等である。ＭＦＰ１０１は、能力応答において、自装置が受信可能なデータの内容を携帯端末装置１０２に通知する。Ｓ６０７において、ＣＰＵ１１１は、携帯端末装置１０２に対して、携帯端末装置１０２からの要求が不正であることを示す不正アクセス応答を送信し、その後処理をＳ６０１へ進める。
【００３４】
Ｓ６０６において、ＣＰＵ１１１は、セッション判定処理を行い、その後処理をＳ６０１へ進める。セッションが確立した場合、携帯端末装置１０２には、セッション確立中の携帯端末装置１０２としてセッションＩＤが割り当てられる。そして、携帯端末装置１０２は、ＭＦＰ１０１からセッションＩＤを受信する。セッションＩＤは、スタートボタン４１０、４１１やホームボタン３０７、リセットボタン４０９の押下によりクリアされる。
【００３５】
図７は、セッション判定処理（Ｓ６０６）における詳細な処理を示すフローチャートである。Ｓ７０１において、ＣＰＵ１１１は、ＭＦＰ１０１が携帯端末装置１０２とのセッション確立中の状態か否かを確認する。ＣＰＵ１１１は、具体的には、セッションＩＤがＲＡＭ１１３に記憶されている場合にはセッション確立中の状態であると判断する。ＣＰＵ１１１は、セッション確立中である場合には（Ｓ７０１でＹＥＳ）、処理をＳ７０２へ進める。ＣＰＵ１１１は、セッション確立中でない場合には（Ｓ７０１でＮＯ）、処理をＳ７０６へ進める。Ｓ７０２において、ＣＰＵ１１１は、受信した接続要求にかかるセッションＩＤを取得する。セッションＩＤは、初回接続要求時にＭＦＰ１０１にて生成し、携帯端末装置１０２に接続応答と一緒に送信される。
【００３６】
次に、Ｓ７０３において、ＣＰＵ１１１は、接続要求の送信元がセッション確立中の携帯端末装置１０２であるか否かを確認する。ＣＰＵ１１１は、Ｓ７０２において取得したセッションＩＤと、後述のＳ７０８においてＲＡＭ１１３に保存されたセッションＩＤと、が一致する場合に、接続要求の送信元がセッション確立中の携帯端末装置１０２であると判断する。ＣＰＵ１１１は、接続要求の送信元がセッション確立中の携帯端末装置１０２である場合には（Ｓ７０３でＹＥＳ）、処理をＳ７０５へ進める。ＣＰＵ１１１は、接続要求の送信元がセッション確立中の携帯端末装置１０２でない場合には（Ｓ７０３でＮＯ）、処理をＳ７０４へ進める。Ｓ７０４において、ＣＰＵ１１１は、接続要求に対応する応答として、接続を拒否する旨を示すＮＧ応答を携帯端末装置１０２に送信する。一方、Ｓ７０５において、ＣＰＵ１１１は、接続要求に対応する応答として、接続を許可する旨を示すＯＫ応答を携帯端末装置１０２に送信する。
【００３７】
Ｓ７０６において、ＣＰＵ１１１は、ＲＡＭ１１３の特定アドレスに設けた初回受信フラグをＯＮに設定する。次に、Ｓ７０７において、ＣＰＵ１１１は、セッションＩＤを生成する。セッションＩＤは、携帯端末装置１０２を特定するユニークなＩＤである。次に、Ｓ７０８において、ＣＰＵ１１１は、ＲＡＭ１１３の特定のアドレスのセッションＩＤを保存する領域にＳ７０７において生成したセッションＩＤを保存する。次に、Ｓ７０９において、ＣＰＵ１１１は、ＯＫ応答と共にセッションＩＤを携帯端末装置１０２に送信する。以上のように、ＭＦＰ１０１は、保存したセッションＩＤを携帯端末装置１０２に接続要求に対する応答と一緒に送信する。携帯端末装置１０２は、セッションＩＤを受信すると、このセッションＩＤを用いて次の要求コマンドを送信する。
【００３８】
図６に戻り、Ｓ６０８において、ＣＰＵ１１１は、受信した設定要求を受け付け可能かを判定する。図８は、設定要求の判定処理（Ｓ６０８）における詳細な処理を示すフローチャートである。Ｓ８０１において、ＣＰＵ１１１は、タッチパネル３０１に表示中の表示画面が図５を参照しつつ説明した受付可能画面であるか否かを確認する。ＣＰＵ１１１は、表示画面が受付可能画面である場合には（Ｓ８０１でＹＥＳ）、処理をＳ８０２へ進める。ＣＰＵ１１１は、表示画面が受付可能画面でない場合には（Ｓ８０１でＮＯ）、処理をＳ８０５へ進める。
【００３９】
Ｓ８０２において、ＣＰＵ１１１は、受信した設定要求からセッションＩＤを取得し、携帯端末装置１０２から受信したセッションＩＤをＲＡＭ１１３に保存する。次に、Ｓ８０３において、ＣＰＵ１１１は、Ｓ８０２で保存されたセッションＩＤとＳ７０８で保存したセッションＩＤを比較することにより、設定要求の送信元がセッション確立中の携帯端末装置１０２であるか否かを確認する。ＣＰＵ１１１は、設定要求の送信元がセッション確立中の携帯端末装置１０２である場合には（Ｓ８０３でＹＥＳ）、処理をＳ８０４へ進める。ＣＰＵ１１１は、設定要求の送信元がセッション確立中の携帯端末装置１０２でない場合には（Ｓ８０３でＮＯ）、処理をＳ８０５へ進める。
【００４０】
Ｓ８０４において、ＣＰＵ１１１は、携帯端末装置１０２から受信した設定要求を受け付け可能であると判定する。Ｓ８０５において、ＣＰＵ１１１は、携帯端末装置１０２から受信した設定要求を受け付け可能ではないと判定する。そして、ＣＰＵ１１１は、設定要求の送信元の携帯端末装置１０２に対して、設定要求に対する応答として、設定要求を拒否する旨のＮＧ応答を送信する。また、Ｓ８０７において、ＣＰＵ１１１は、携帯端末装置１０２から受信した設定要求を受け付け可能ではないと判定する。そして、ＣＰＵ１１１は、設定要求を受け付けない画面を表示中である旨を示すＮＧ応答を携帯端末装置１０２に送信する。以上のように、ＭＦＰ１０１は、受付可能画面を表示していない場合には、セッション確立中の携帯端末装置１０２以外の他の携帯端末装置１０２からの設定要求に応じた設定を許可しないよう制御する。
【００４１】
図６に戻り、Ｓ６０９において、ＣＰＵ１１１は、設定要求を受け付け可能であると判定した場合には（Ｓ６０９でＹＥＳ）、処理をＳ６１０へ進める。一方ＣＰＵ１１１は、設定要求を受け付け可能でないと判定した場合には（Ｓ６０９でＮＯ）、処理をＳ６０１へ戻す。Ｓ６１０において、ＣＰＵ１１１は、受信した設定情報が設定可能かを判定する。具体的には、ＣＰＵ１１１は、設定情報が電子メールアドレスの場合は、ＭＦＰ１０１が送信可能な最大宛先数を超えているか、文字列長は設定可能範囲内なのか等を判定する。また、ＣＰＵ１１１は、設定情報が電子メールの件名、本文設定の場合、正常な文字列データか、最大文字列長を超えていないか等を判定する。
【００４２】
Ｓ６１１において、ＣＰＵ１１１は、Ｓ６１０の判定結果に基づいて、設定情報を電子メール送信設定として設定できるか否かを確認する。ＣＰＵ１１１は、設定可能な場合には（Ｓ６１１でＹＥＳ）、処理をＳ６１３へ進める。ＣＰＵ１１１は、設定可能でない場合には（Ｓ６１１でＮＯ）、処理をＳ６１２へ進める。Ｓ６１２において、ＣＰＵ１１１は、携帯端末装置１０２に対して、設定要求に対する応答として、設定要求を拒否する旨のＮＧ応答を携帯端末装置１０２へ送信する。これにより、携帯端末装置１０２は、ＮＧ応答を受信することにより、携帯端末装置１０２に設定できなかったことを確認できる。Ｓ６１２の処理の後、ＣＰＵ１１１は、処理をＳ６０１へ進める。
【００４３】
Ｓ６１３において、ＣＰＵ１１１は、ポップアップ画面４０２の表示を行う。Ｓ６１４において、ＣＰＵ１１１は、ユーザ入力に応じた指示を受け付ける。ＣＰＵ１１１は、ユーザによりＯＫボタン４０３が押下された場合には、設定情報に応じた設定を行う旨のＯＫ指示を受け付ける。ＣＰＵ１１１は、ユーザによりキャンセルボタン４０４が押下された場合には、設定指示に応じた設定を行わない旨のキャンセル指示を受け付ける。ＣＰＵ１１１は、ＯＫ指示を受け付けた場合には（Ｓ６１４でＯＫ指示）、処理をＳ６１５へ進める。ＣＰＵ１１１は、キャンセル指示を受け付けた場合には（Ｓ６１４でキャンセル指示）、処理をＳ６１９へ進める。
【００４４】
Ｓ６１５において、ＣＰＵ１１１は、受信した設定情報に基づいて、画像等の送信に関する設定を行う。次に、Ｓ６１６において、ＣＰＵ１１１は、Ｓ６１５における設定を反映した電子メール送信画面４０５を表示する。次に、Ｓ６１７において、ＣＰＵ１１１は、Ｓ７０６（図７）にて設定された初回受信フラグがＯＮの場合、これをＯＦＦに設定する。次に、Ｓ６１８において、ＣＰＵ１１１は、設定要求に応じた設定が正常に完了した旨を示すＯＫ応答を携帯端末装置１０２へ送信する。Ｓ６１８の処理の後、ＣＰＵ１１１は、処理をＳ６０１へ進める。
【００４５】
Ｓ６１９において、ＣＰＵ１１１は、ポップアップ画面４０２を閉じてポップアップ画面４０２の表示前に表示していた画面を表示する。次に、Ｓ６２０において、ＣＰＵ１１１は、設定要求に対応する応答として、ＮＧ応答を携帯端末装置１０２へ送信する。次に、Ｓ６２１において、ＣＰＵ１１１は、他の携帯端末装置からデータを受信しないように、仮のセッションＩＤを生成して保存し、ＭＦＰ１０１をセッション確立中の状態にする。ステップＳ６１３で表示されたポップアップ画面４０２に対してユーザがキャンセル指示を行った直後の状態は設定情報の受け付けが可能な状態となる。しかし、キャンセル指示を受け付けた直後に携帯端末装置１０２以外の携帯端末装置から設定情報を受け付けてしまうと、キャンセル指示を行った直後に再びポップアップ画面が表示されることになり、キャンセル指示を行ったユーザを煩わせてしまうことになる。そこで、ステップＳ６１３で表示されたポップアップ画面４０２に対してキャンセルが指示された後は仮のセッションＩＤをＲＡＭ１０３に記憶することで仮想的にセッションが存在しているようにし、他の携帯端末装置からの接続を受け付けないようにする。なお、ＣＰＵ１１１は、電子メール送信画面４０５の送信設定がクリアされるタイミングで、仮のセッションＩＤを解放する。送信設定がクリアされるのは、予め定められた条件を満たす場合である。予め定められた条件は、リセットボタン４０９、白黒スタートボタン４１０、カラースタートボタン４１１、ＥＳボタン３０８、ホームボタン３０７の何れかのボタンが押下された場合や、一定時間が経過した場合等である。仮のセッションＩＤが解放されることで他の携帯端末からの接続を受け付けることが可能になる。
【００４６】
以上のように、第１の実施形態に係るＭＦＰ１０１は、携帯端末装置１０２から設定要求を受信した場合には、ポップアップ画面４０２を表示し、ＯＫボタン４０３とキャンセルボタン４０４を選択可能とした。これにより、ＭＦＰ１０１が受信したデータを、ＭＦＰ１０１のユーザが容易にキャンセルすることができる。また、キャンセル後も、設定情報受信時のポップアップ表示に邪魔されないように、Ｓ６２１にて仮のセッション確立状態に遷移させることとした。これにより、キャンセル後に続けて携帯端末装置１０２からデータを受信した場合のポップアップ表示を抑制することができる。
【００４７】
図９は、ＭＦＰ１０１に対し、２台の携帯端末装置１０２から情報が送信される場合のＭＦＰ１０１と携帯端末装置１０２の処理を示すシーケンス図である。図９においては、２台の携帯端末装置１０２を装置Ａ及び装置Ｂとする。Ｓ９０１において、装置Ａは、ＭＦＰ１０１に接続要求をユーザＩＤとパスワードＰＷＤと一緒に送信する。次に、Ｓ９０２において、ＭＦＰ１０１は、装置Ａに接続応答としてＯＫ応答を装置Ａに送信する。ここで、ＭＦＰ１０１は、セッションＩＤを生成し、ＯＫ応答と共にセッションＩＤも装置Ａに送信する。次に、Ｓ９０３において、装置Ａは、ＭＦＰ１０１に能力要求を送信する。次に、Ｓ９０４において、ＭＦＰ１０１は、電子メールアドレスと件名が設定可能であることを示す情報を含む能力応答を装置Ａに送信する。
【００４８】
次に、Ｓ９０５において、装置Ａは、電子メールアドレスを宛先に設定する為の設定要求をＭＦＰ１０１に送信する。Ｓ９０６において、ＭＦＰ１０１は、受信した設定要求に対し、正常に電子メール送信の宛先に受信した電子メールアドレスが設定されたことを示す情報を含むＯＫ応答を装置Ａに送信する。Ｓ９０７において、装置Ａは、件名を電子メール送信の電子メールに設定する為の設定要求をＭＦＰ１０１に送信する。Ｓ９０８において、ＭＦＰ１０１は、受信した設定要求に対し、正常に件名が設定されたことを示す情報を含むＯＫ応答を装置Ａに送信する。
【００４９】
ＭＦＰ１０１は、Ｓ９０９において、スタート／ＨＯＭＥ／ＲＥＳＥＴ、または、ポップアップ画面４０２のキャンセルボタン４０４の押下、一定時間の経過を検知するまで、Ｓ９０５〜Ｓ９０８の処理を繰り返す。Ｓ９０９において、ＣＰＵ１１１は、スタート／ＨＯＭＥ／ＲＥＳＥＴ、または、ポップアップ画面４０２のキャンセル４０４の押下、一定時間の経過を検知したら、受信した設定情報をクリアし、装置Ａとの通信をリセットする。
【００５０】
装置Ｂは、Ｓ９１０において、装置Ａの接続要求の送信タイミングよりも後のタイミングにおいて接続要求をＭＦＰ１０１に送信する。装置Ａによる接続要求の送信タイミングの後であるため、Ｓ９１１において、ＭＦＰ１０１は、接続応答としてＮＧ応答を装置Ｂに送信する。装置Ｂは、Ｓ９１２のタイミングにおいて、再度接続要求を送信しても、Ｓ９１３において、同様にＮＧ応答を受信することとなる。一方で、Ｓ９１４のタイミングにおいて接続要求を送信した場合には、Ｓ９０９の処理の後のタイミングであるため、Ｓ９１５において、ＯＫ応答を受信する。このように、ＭＦＰ１０１は、Ｓ９０１〜Ｓ９０９の期間においては、装置Ａ以外の装置からの接続要求を受け付けないように制御する。以上のように、本実施形態に係るＭＦＰ１０１は、２つの携帯端末装置１０２からの設定要求を同時に処理することなく、順番に処理する。
【００５１】
以上のように、第１の実施形態に係る画像処理システム１００のＭＦＰ１０１は、ポップアップ画面４０２を表示し、ＯＫボタン４０３とキャンセルボタン４０４を表示する。そして、ＭＦＰ１０１は、ユーザによりいずれのボタンが選択されるかに応じて、設定を行うか否かを制御することとした。これにより、ＭＦＰ１０１を操作中のユーザが意図しない設定が行われるのを防ぐことができる。また、ＭＦＰ１０１は、キャンセル指示を受け付けた後、予め定められた条件を満たす状態になるまでの間は、ポップアップ画面４０２を表示することなく、設定情報の設定を許可しないよう制御する。これにより、ＭＦＰ１０１のユーザがポップアップ画面４０２による作業の中断が繰り返されるのを避けることができる。このように、端末装置から設定情報を受信した場合におけるユーザの利便性を向上させることができる。
【００５２】
（第２の実施形態）
次に、第２の実施形態に係る画像処理システム１００について説明する。第２実施形態に係るＭＦＰ１０１は、複数の設定情報を続けて受信した場合において、ポップアップ画面４０２においてキャンセルボタン４０４が押下された場合において、一つ前に受信して設定されていた設定情報を破棄しないようにする。
【００５３】
図１０は、携帯端末装置１０２から設定情報として電子メールの送信宛先のデータを受信した際の、タッチパネル３０１の画面遷移図である。１００１は、図４に示す電子メール送信画面４０５と同じ画面である。電子メール送信画面１００１は、設定情報を１つ受信した後に表示される画面である。この状態で続けて携帯端末装置１０２から設定情報を受信すると、ＣＰＵ１１１は、ポップアップ画面１００２を表示するよう制御する。ポップアップ画面１００２には、ＯＫボタン１００３のみが表示され、キャンセルボタンは表示されない。これにより、既に受信している設定情報がキャンセルされるのを防ぐことができる。ＯＫボタン１００３を押下すると、電子メール送信画面１００１の宛先確認１００４に、２件目の宛先が追加されたことが表示される。宛先確認１００４を押下すると、ＣＰＵ１１１は、さらに宛先確認１００６の「Ｃｃ:」の宛先１００５を表示する。これにより、ユーザは、Ｃｃが追加されたことを確認することができる。
【００５４】
図１１は、第２の実施形態においてＭＦＰ１０１が実行する処理を示すフローチャートである。なお、図６に示す処理と同じ処理には同じ番号を付し、説明を省略する。ＣＰＵ１１１は、Ｓ６１１において、設定情報を電子メール送信設定として設定可能な場合には（Ｓ６１１でＹＥＳ）、処理をＳ１１０１へ進める。Ｓ１１０１において、ＣＰＵ１１１は、Ｓ６０１において受信した情報が最初の設定情報か否かを確認する。ＣＰＵ１１１は、初回受信フラグがＯＮの場合には最初の設定情報であると判断し、初回受信フラグがＯＦＦの場合には最初の設定情報でないと判断する。ＣＰＵ１１１は、最初の設定情報の場合には（Ｓ１１０１でＹＥＳ）、処理をＳ１１０２へ進める。ＣＰＵ１１１は、最初の設定情報でない場合には（Ｓ１１０１でＮＯ）、処理をＳ１１０３へ進める。
【００５５】
Ｓ１１０２において、ＣＰＵ１１１は、第１のポップアップ画面を表示する。ここで、第１のポップアップ画面は、第１の実施形態において説明したポップアップ画面４０２と同一の画面である。ＣＰＵ１１１は、その後処理をＳ６１４へ進める。一方、Ｓ１１０３において、ＣＰＵ１１１は、第２のポップアップ画面を表示する。ここで、第２のポップアップ画面は、図１０を参照しつつ説明したポップアップ画面１００２である。次に、Ｓ１１０４において、ＣＰＵ１１１は、第２のポップアップ画面１００２におけるＯＫボタン１００３の押下に応じて、設定情報に応じた設定を行う旨のＯＫ指示を受け付ける。ＣＰＵ１１１は、その後処理をＳ６１５へ進める。なお、第２の実施形態に係る画像処理システム１００のこれ以外の構成及び処理は、第１の実施形態に係る画像処理システム１００の構成及び処理と同様である。
【００５６】
以上のように、第２の実施形態においては、２回目以降に設定情報を受信した際に表示するポップアップ画面には、キャンセルボタンを表示しないようにすることで、既に受信済みの設定情報がキャンセルされないようにした。これにより、２回目以降の設定情報に対するキャンセル指示により、ユーザの意図に反して初回の設定情報までキャンセルされるのを防ぐことができる。なお、初回は、携帯端末装置１０２とＭＦＰ１０１で使用ユーザが異なる可能性があるが、２回目以降は、初回の設定情報受信時にＯＫボタン４０３を押下していることから同じユーザがＭＦＰ１０１を操作していると考えられる。そこで、２回目以降は、同じ携帯端末装置１０２からの設定情報を受信した場合、キャンセルボタンを表示しないことで、ユーザフレンドリーな画面表示を行うことができる。
【００５７】
（第３の実施形態）
次に、第３の実施形態に係る画像処理システム１００について説明する。第３の実施形態に係る画像処理システム１００は、携帯端末装置１０２から設定情報を送信するユーザが１人しかいないようなケースに適している。
【００５８】
図１２は、第３の実施形態において、携帯端末装置１０２から設定情報として電子メールの送信宛先のデータを受信した際の、タッチパネル３０１の画面遷移図である。１２０１は、電子メール送信画面である。ＣＰＵ１１１は、携帯端末装置１０２から電子メールアドレスを宛先として受信すると、電子メール送信画面１２０１の宛先確認１２０２の宛先数を１件増加し、さらにステータス１２０３に宛先が追加されたことを表示する。このように画面を遷移させることで、ポップアップ表示による設定の制御をなくし、ユーザによる使い勝手を向上させる。ポップアップ表示は、宛先をユーザに確認させるための注意喚起の為の表示である一方で、ポップアップを閉じるまでユーザは他の操作ができなくなるという不便もある。そこで、第３の実施形態に係るＭＦＰ１０１においては、ポップアップ表示を行うか否かをユーザによる設定に応じて切り替え可能とする。
【００５９】
図１３は、第３の実施形態においてＭＦＰ１０１が実行する処理を示すフローチャートである。図６に示す処理と同じ処理には同じ番号を付し、説明を省略する。ＣＰＵ１１１は、Ｓ６１１において、設定情報を電子メール送信設定として設定可能な場合には（Ｓ６１１でＹＥＳ）、処理をＳ１３０１へ進める。Ｓ１３０１において、ＣＰＵ１１１は、ポップアップ画面の表示を行うか否かを確認する。なお、ポップアップ画面の表示を行うか否かについては、Ｓ１３０１の処理時点より前のタイミングにおいて、ユーザ操作に応じてＭＦＰ１０１に設定されているものとする。
【００６０】
ＣＰＵ１１１は、表示を行う場合には（Ｓ１３０１でＹＥＳ）、処理をＳ６１３へ進める。ＣＰＵ１１１は、表示を行わない場合には（Ｓ１３０１でＮＯ）、処理をＳ６１５へ進める。なお、本実施形態に係る画像処理システム１００のこれ以外の構成及び処理は、他の実施形態に係る画像処理システム１００の構成及び処理と同様である。なお、本実施形態においては、Ｓ６１５において、ＣＰＵ１１１は、図１２において説明したように、ステータス１２０３を表示することとしてもよい。
【００６１】
以上のように、第３の実施形態に係る画像処理システム１００においは、ポップアップ画面を表示するか否かを、ユーザ操作に応じた設定により制御することができる。したがって、ＭＦＰ１０１の使用ユーザが１人の場合に、無駄な画面表示を行わないようにすることで、ユーザの利便性を向上させることができる。
【００６２】
以上、本発明の好ましい実施形態について詳述したが、本発明は係る特定の実施形態に限定されるものではなく、特許請求の範囲に記載された本発明の要旨の範囲内において、種々の変形・変更が可能である。
【００６３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６４】
１００  画像処理システム
１０１  ＭＦＰ
１０２  携帯端末装置
【図１】
2018046399.tif 000003
【図２】
2018046399.tif 000004
【図３】
2018046399.tif 000005
【図４】
2018046399.tif 000006
【図５】
2018046399.tif 000007
【図６】
2018046399.tif 000008
【図７】
2018046399.tif 000009
【図８】
2018046399.tif 000010
【図９】
2018046399.tif 000011
【図１０】
2018046399.tif 000012
【図１１】
2018046399.tif 000013
【図１２】
2018046399.tif 000014
【図１３】
2018046399.tif 000015